(57)【要約】【課題】ホイップクリームに所謂ラテアートと呼ばれる図柄や文字等を描いたカップ飲料を調製することができるカップ式自動販売機を提供することを目的とする。【解決手段】制御部９０には、携帯端末装置９６の通信機能を用いて利用者が作成した図柄、文字等のデータを処理する端末処理装置９５、予めＲＯＭ９２およびＲＡＭ９３に蓄積してある図柄、文字等を選択する模様選択釦１３、利用者がタッチセンサー式液晶ディスプレイ画面上で図柄、文字等を作成する模様入力表示装置１４、利用者が好みの飲料を選択するための飲料選択釦３、カップＣ内の飲料液に浮かせているホイップクリームに所謂ラテアートと呼ばれる図柄や文字等を描く模様作成装置２７等が接続されている。【選択図】図３
2010160692.tif 000002
【特許請求の範囲】
【請求項１】
原料と温水とから調製した飲料液にホイップクリームを浮かべたカップ飲料を販売するカップ式自動販売機において、
前記飲料液に浮かべたホイップクリームに模様を描く模様作成手段を備えたことを特徴とするカップ式自動販売機。
【発明の詳細な説明】
【技術分野】
【０００１】
本発明は、原料と温水とから調製したカップ飲料を販売するカップ式自動販売機に関するものである。
【背景技術】
【０００２】
コーヒー液にホイップクリームを浮かべたカップ飲料（例えばカプチーノ）にココア粉末、シナモン粉末、チョコレートチップまたはアーモンドチップ等の粉状または粒状のトッピング材をトッピングするカップ式自動販売機が知られている。このカップ式自動販売機は、収容しているカップを販売の都度搬出するカップ供給装置、コーヒー、ココア、砂糖またはクリーム等の各種の粉末原料を収容する複数の粉末原料供給装置（以下「キャニスタ」という）、ココア粉末、シナモン粉末、チョコレートチップまたはアーモンドチップ等の粉状または粒状のトッピング材を収容するトッピング材供給装置、飲用水を加熱して貯留する温水タンク、選択された飲料に応じてキャニスタから供給された粉末原料と温水タンクから供給された温水を攪拌して飲料を調製する攪拌装置、ホイップクリームをカップ内の飲料液に供給するホイップクリーム供給装置、カップ供給装置から搬出されたカップを把持するカップ把持装置、カップを把持しているカップ把持装置を所定の位置に搬送して一時停止させるカップ搬送装置を備えている。
【０００３】
このように構成されたカップ式自動販売機でコーヒー液にホイップクリームを浮かべたカプチーノにトッピング材をトッピングしたカップ飲料は次のようにして調製される。カップ式自動販売機の硬貨投入口に硬貨が投入されて飲料選択釦が押されると、カップ供給装置から搬出されたカップをカップ把持装置が把持して所定の位置に一時停止させながら搬送する。先ず、選択された飲料に応じたキャニスタのシュート直下に一時停止させてコーヒー粉末、砂糖およびクリーム等の粉末原料の供給を受け、次に、攪拌装置の攪拌羽根直下に一時停止させる。カップ内の粉末原料に温水タンクから温水が供給され、同時にカップ内に降下した攪拌羽根が回転されると、カップ内で粉末原料と温水の混合液が攪拌されてコーヒー液となる。コーヒー液が入っているカップはホイップクリーム供給装置直下に搬送されて一時停止するとホイップクリームが供給されてカプチーノとなる。さらに、ココア粉末、シナモン粉末、チョコレートチップまたはアーモンドチップ等の粉状または粒状のトッピング材を収容しているトッピング材供給装置のシュート直下に一時停止させるとトッピング材がシュートからホイップクリーム上に供給される。このようにしてカプチーノにトッピング材をトッピングしたカップ飲料が調製されて販売口に搬送される（例えば、特許文献１参照。）。
【先行技術文献】
【特許文献】
【０００４】
【特許文献１】特開２００２−２６００８９号公報
【発明の概要】
【発明が解決しようとする課題】
【０００５】
最近、所謂ラテアートと呼ばれる、カプチーノ等のホイップクリームに図柄や文字等を描いたカップ飲料が注目されている。
しかしながら、上記したカップ式自動販売機では、ココア粉末、シナモン粉末、チョコレートチップまたはアーモンドチップ等の粉状または粒状のトッピング材をホイップクリーム上にトッピングすることはできるものの、ホイップクリームに所謂ラテアートと呼ばれる図柄や文字等を描いたカップ飲料を提供することができない。
【０００６】
本発明は、上記実情に鑑みて、ホイップクリームに所謂ラテアートと呼ばれる図柄や文字等を描いたカップ飲料を調製することができるカップ式自動販売機を提供することを目的とする。
【課題を解決するための手段】
【０００７】
上記目的を達成するため、本発明の請求項１に係るカップ式自動販売機は、原料と温水とから調製した飲料液にホイップクリームを浮かべたカップ飲料を販売するカップ式自動販売機において、
前記飲料液に浮かべたホイップクリームに模様を描く模様作成手段を備えたことを特徴とする。
【発明の効果】
【０００８】
請求項１の発明によれば、原料と温水とから調製した飲料液にホイップクリームを浮かべたカップ飲料を販売するカップ式自動販売機において、飲料液に浮かべたホイップクリームに模様を描く模様作成手段を備えたことにより、ホイップクリームに所謂ラテアートと呼ばれる図柄や文字等を描いたカップ飲料を調製することができるカップ式自動販売機を提供することが可能となる。
【図面の簡単な説明】
【０００９】
【図１】本発明の実施の形態に係るカップ式自動販売機の外観図である。
【図２】図１に示したカップ式自動販売機の飲料調製部を示す構成図である。
【図３】図１に示したカップ式自動販売機の制御系を示すブロック図である。
【発明を実施するための形態】
【００１０】
以下に添付図面を参照して、本発明に係るカップ式自動販売機の好適な実施の形態について詳細に説明する。なお、この実施の形態によりこの発明が限定されるものではない。
図１は、本発明の実施の形態に係るカップ式自動販売機１の外観図である。ここで例示するカップ式自動販売機１は、利用者の選択に応じて機内で調製したカップ飲料を販売口から提供するもので、機内には、カップ供給装置、粉末原料供給装置、ホイップクリーム供給装置、温水タンク、製氷機、攪拌装置、模様作成装置（模様作成手段）、搬送装置等を備えている。筐体（図示せず）に開閉可能に取り付けられた前扉２には、利用者が好みの飲料を選択するための飲料選択釦３が飲料展示部４に展示された複数の飲料見本５に対応して設けてある。また、硬貨を投入するための硬貨投入口６、投入した硬貨を返却するための返却レバー７、硬貨返却口８、紙幣挿入口９、金銭残高等を表示する表示部１０が設けられ、カップ飲料を販売する販売口１１には販売扉１２が設けら、販売口１１の上方には模様選択釦１３、模様入力表示装置１４が設けてある。
【００１１】
図２は、本発明の実施の形態に係るカップ式自動販売機１の飲料調製部２０を示す構成図である。飲料調製部２０は、収容しているカップＣを販売の都度搬出するカップ供給装置２１、収容しているコーヒー、砂糖およびクリーム等の粉末原料をカップＣに供給する粉末原料供給装置（以下「キャニスタ」という）２２、ホイップクリームを調製してカップＣに供給するホイップクリーム供給装置２３、キャニスタ２２から供給された粉末原料が入っているカップＣに温水電磁弁２４ａを開いて温水を供給する温水タンク２４、アイス飲料の調製に使用する氷を製造して貯蔵する製氷機２５、攪拌羽根２６ａを回転させて粉末原料と温水との混合液を攪拌する攪拌装置２６、ホイップクリームに所謂ラテアートと呼ばれる図柄や文字等を描く模様作成装置２７、カップ供給装置２１から搬出されたカップＣを把持しているカップ把持装置５０を水平方向に搬送して所定の位置で一時停止するカップ搬送装置３０から構成されている。
【００１２】
カップ供給装置２１はカップＣを多数収容していて、図示しないカップ搬出装置を下部に備えている。そして、販売指示に基づいて、カップ供給装置２１はカップＣを１個ずつ搬出し、搬出されたカップＣはカップ把持装置５０で把持されてカップ搬送装置３０で各所定の位置に搬送される。
キャニスタ２２は、飲料を調製する原料としてのコーヒー、砂糖およびクリーム等の粉末原料を収容し、カップ搬送装置３０で搬送されてきたカップＣに所定量の粉末原料を供給する。
【００１３】
ホイップクリーム供給装置２３は、クリーム原料と温水からホイップクリームを調製してカップＣに供給する。
温水タンク２４は、内部に図示しない電気ヒータを設けて９５℃〜９７℃に加熱した温水を貯留している。そして温水タンク２４上部に設けた複数の電磁弁２４ａの何れかを開くと所定量の温水がカップＣまたはホイップクリーム供給装置２３に供給される。製氷機２５は、氷を製造して貯蔵し、アイス飲料を調製するときは貯蔵している氷を供給する。
【００１４】
攪拌装置２６は、カップＣにキャニスタ２２から供給された粉末原料と温水タンク２４から供給された温水との混合液を攪拌混合する装置であり、カップＣ内に降下させた攪拌羽根２６ａを回転させて混合液を攪拌混合して飲料液とする。
模様作成装置２７は、カップＣの飲料液に浮かせているホイップクリームに所謂ラテアートと呼ばれる図柄や文字等を描く装置であり、２７ａはホイップクリームに可食インクを噴射するインクジェットプリンターで図柄や文字等を描く画像作成装置であり、２７ｂはホイップクリームにレーザー光を照射して泡を焼くことにより図柄や文字等を描く画像作成装置である。
【００１５】
カップ搬送装置３０は、左右方向（図２に対し）水平に直線的に延びる支持フレーム３２、支持フレーム３２の両端部にそれぞれ回転自在に軸支された駆動プーリ３３および従動プーリ３４、両プーリ間に掛け渡した無端の搬送ベルト３５、駆動プーリ３３を回転させる搬送モータ３６、支持フレーム３２と平行して設けたサブフレーム３７で構成する主搬送部３１と、一端を搬送ベルト３５に固定し、他端をサブフレーム３７上に載置した、同じく、両端部にそれぞれ回転自在に軸支された駆動プーリ３９および従動プーリ４０を設けた支持フレーム４１、両プーリ間に掛け渡した無端の搬送ベルト４２、駆動プーリ３９を回転させる搬送モータ４３、搬送ベルト３５の移動に伴って支持フレーム４１が支持フレーム３２面上を転動するように設けたローラ４４、サブフレーム３７面上を転動するように設けたローラ４５で構成するカップ把持装置搬送部３８と、で構成され、カップ把持装置５０はカップ把持装置搬送部３８の搬送ベルト４２に固定されている。
【００１６】
カップ把持装置搬送部３８は、搬送ベルト３５が移動すると、ローラ４４が支持フレーム３２、ローラ４５がサブフレーム３７それぞれの面上を転動して、カップ把持装置搬送部３８は図中左右方向に円滑に移動される。カップ把持装置５０は、搬送ベルト４２の所定の部位に固定され、この固定部位にはローラ５１が取り付けられている。搬送ベルト４２が移動すると、ローラ５１が支持フレーム４１面上を転動して、カップ把持装置５０は前後方向（図２に対し）に円滑に移動される。このようにカップ把持装置搬送部３８は、制御装置９０（図３参照）からの信号で動作する搬送モータ３６の回転により左右方向に移動することができ、また、カップ把持装置搬送部３８の搬送ベルト４２に固定されたカップ把持装置５０も制御装置９０からの信号で動作する搬送モータ４３の回転により前後方向に移動することができる。その結果、カップ把持装置５０は、制御装置９０からの信号で、前後左右方向へ自在に移動することができるようになる。
【００１７】
また、カップ把持装置５０には、カップ供給装置２１から送出されたカップＣの底部を受け止めるカップ受台５２、カップ受台５２上に受け止められたカップＣの胴部に対して接触または離間するように開閉してカップＣを把持する一対のカップ把持アーム５３、５４が突設されており、カップ受台５２はカップＣの大きさ（大、中、小）に応じたカップ高さ（上下）方向に昇降させることができる。また、カップ把持アーム５３、５４はカップＣの大きさ（大、中、小）に応じたアーム間隔に開閉することができ、カップ受台５２で受けたカップＣを一対のカップ把持アーム５３、５４が把持するようになっている。
【００１８】
図３は、カップ式自動販売機１の制御ブロック図を示し、カップ式自動販売機１を制御する制御部９０は、中央処理装置としてのＣＰＵ９１、ＣＰＵ９１の制御プログラムを格納するＲＯＭ（リード・オンリー・メモリ）９２、ＣＰＵ９１の制御に必要な各種のプログラムやデータを随時記憶するＲＡＭ（ランダム・アクセス・メモリ）９３、基準クロック発生部（図示せず）で発生するクロックをカウントして各種時間を計時するタイマー９４から構成されている。また、制御部９０には、携帯端末装置９６の通信機能（例えば赤外線通信）を用いて利用者が作成した図柄、文字等のデータを処理する端末処理装置９５、予めＲＯＭ９２およびＲＡＭ９３に蓄積してある図柄、文字等を選択する模様選択釦１３、利用者がタッチセンサー式液晶ディスプレイ画面上で図柄、文字等を作成する模様入力表示装置１４、利用者が好みの飲料を選択するための飲料選択釦３、カップＣ内の飲料液に浮かせているホイップクリームに所謂ラテアートと呼ばれる図柄や文字等を描く模様作成装置２７等が接続されている。
【００１９】
以上、本発明の、原料と温水とから調製したコーヒー液にホイップクリームを浮かべたカプチーノ等でホイップクリームに所謂ラテアートと呼ばれる図柄や文字等を描いたカップ飲料を販売可能とするカップ式自動販売機の構成について説明したが、次にその作用について説明する。
係る構成により、カップ式自動販売機１で調製したカプチーノのホイップクリームに所謂ラテアートと呼ばれる図柄や文字等を描いたカップ飲料を販売するには、硬貨投入口６に所定金額の硬貨が投入され、飲料選択釦３が押されると、先ず、カップ供給装置２１からカップＣが搬出される。搬出されたカップＣはカップ受台５２とカップ把持アーム５３、５４でカップ把持装置５０に把持される。カップＣを把持しているカップ把持装置５０は搬送モータ３６と搬送モータ４３の回転により搬送され、キャニスタ２２の位置では一時停止してコーヒー、砂糖やクリーム等の粉末原料の供給を受け、攪拌装置２６の位置まで搬送される。
【００２０】
攪拌装置２６の位置に停止したカップＣには温水タンク２４の温水電磁弁２４ａが開いて温水が供給されて粉末原料との混合液となり、攪拌羽根２６ａを降下して回転させると、カップＣ内で攪拌混合されてコーヒー液が出来上がる。
コーヒー液入りカップＣを把持しているカップ把持装置５０は、さらに、搬送モータ３６と搬送モータ４３の回転によりホイップクリーム供給装置２３の位置に搬送されて一時停止する。
【００２１】
カップＣがホイップクリーム供給装置２３の位置まで搬送されて一時停止すると、ホイップクリーム供給装置２３で調製されたホイップクリームが供給され、ホイップクリームがコーヒー液の上に浮いているカプチーノとなる。
さらに、カップ把持装置５０は模様作成装置２７の、例えば、ホイップクリームに可食インクを噴射するインクジェットプリンターで図柄や文字等を描く画像作成装置２７ａの直下に搬送されて所謂ラテアートがホイップクリームに描かれたカップ飲料となり、カップ式自動販売機１の販売口１１から利用者に提供される。
【００２２】
または、ホイップクリームにレーザー光を照射して泡を焼くことにより図柄や文字等を描く画像作成装置２７ｂの直下に搬送されて所謂ラテアートがホイップクリームに描かれたカップ飲料となり、カップ式自動販売機１の販売口１１から利用者に提供される。
なお、可食の薄い澱粉シート等に可食インクを噴射するインクジェットプリンターで図柄や文字等を描く、または、レーザー光を照射して焼くことにより図柄や文字等を描いてコーヒー液の表面に浮かべるようにしても良い。
【符号の説明】
【００２３】
１      カップ式自動販売機
３      飲料選択釦
１１      販売口
１３      模様選択釦
１４      模様入力表示装置
２０      飲料調製部
２７      模様作成装置（模様作成手段）
９０      制御部
９５      端末処理装置
９６      携帯端末装置
【図１】
2010160692.tif 000003
【図２】
2010160692.tif 000004
【図３】
2010160692.tif 000005